(57)【要約】【課題】本考案は、ＥＬ発光シートを用いたイルミネーションであって、抜き差し可能な差し込みと支持ソケットを形成したクリスマスツリー用ＥＬイルミネーションを提供する。【解決手段】ＥＬ発光シート（１）に差し込み部（２）を設け、前記差し込み部（２）に絶縁部（３ａ）を設け、電極（４ａ）（４ｂ）から前記差し込み部（２）の外部に突起した接続端子（５ａ）（５ｂ）を設け、前記差し込み部（２）に差し込み可能な支持ソケット部（６）を設け、前記支持ソケット部（６）に絶縁部（３ｂ）を設け、前記接続端子（５ａ）（５ｂ）に挿通接合する凹型接続端子（７ａ）（７ｂ）を設け、前記凹型接続端子（７ａ）（７ｂ）にインバーター電極（８ｂ）を設け、インバーター（９）へと導く差し込み可能な前記支持ソケット部（６）を設け、前記差し込み部（２）に差し込み可能な前記支持ソケット部（６）を設けたことを特徴とする。【選択図】  図３
0003118137.tif 000002
【実用新案登録請求の範囲】
【請求項１】
ＥＬ発光シート（１）に差し込み部（２）を設け、前記差し込み部（２）に絶縁部（３ａ）を設け、電極（４ａ）（４ｂ）から前記差し込み部（２）の外部に突起した接続端子（５ａ）（５ｂ）を設けたクリスマスツリー用ＥＬイルミネーション。
【請求項２】
前記差し込み部（２）に差し込み可能な支持ソケット部（６）を設け、前記支持ソケット部（６）に絶縁部（３ｂ）を設け、前記接続端子（５ａ）（５ｂ）に接合する凹型接続端子（７ａ）（７ｂ）を設け、前記凹型接続端子（７ａ）（７ｂ）にインバーター電極（８ａ）（８ｂ）を設け、インバーター（９）へと導く差し込み可能な前記支持ソケット部（６）を設けた請求項１記載のクリスマスツリー用ＥＬイルミネーション。
【考案の詳細な説明】
【技術分野】
【０００１】  本考案は、エレクトロルミネセンス（以下、ＥＬと記する。）発光シートを用いたイルミネーションであって、抜き差し可能な差し込みと支持ソケットに関し、特にクリスマスツリー用ＥＬイルミネーションに利用して好適なものである。
【背景技術】
【０００２】  ＥＬ発光シートを用いたイルミネーションは、発光シートの普及で製作費用の低減やランニングコストを抑えることが可能となり、広告媒体や掲示標識等に用いられている。これらは、コンセントとインバーターからなるＡＣ電源や乾電池により、ＥＬ発光シートへ直接電源を接続した状態で使用している。一般に多数のＥＬ発光シートを用いたクリスマスツリーの使用形態においても、イルミネーションへ直接電源を接続した状態である。【０００３】  しかしながら、ＥＬ発光シートは、接触不良や絶縁不良等により、発光しなイルミネーションが発生する場合がある。このため例えば、実開平４−６３５９６号の公報に記載されたものは、紙やセロハンの多穴質シートによる絶縁や、実開平２−１３４６９６号の公報に記載されたものは、絶縁層を介して発光層を防湿シールで被覆保護するものが開示されている。実開平４−６３５９６号、実開平２−１３４６９６号いずれも、差し込みと支持ソケットの絶縁には触れておらず、すべてＥＬ発光体の絶縁であって、電源からＥＬ発光シートを抜き差しできる構成にはなっていない。【０００４】
【実用新案文献１】
実開平４−６３５９６号
【実用新案文献２】
実開平２−１３４６９６号
【考案の開示】
【考案が解決しようとする課題】
【０００５】  背景技術で述べたように、ＥＬ発光シートを用いたイルミネーションは、発光しなイルミネーションの取替えや増減等、実施者にとっては、欠くことのできない対応として必要とされている。又、接触不良や絶縁不良等により、本来の目的である発光の効果を十分に発揮できないことにもなる。そこで本考案はかかる従来の課題の解消を図るために開発したものであり、差し込み部に差し込み可能な支持ソケット部を形成し、それぞれに絶縁部を設け、誰もが簡便に電源からＥＬ発光シートを抜き差しが可能なクリスマスツリー用ＥＬイルミネーションを考案したものである。
【課題を解決するための手段】
【０００６】  上記目的を達成するために、本考案におけるクリスマスツリー用ＥＬイルミネーションは、次のような構成である。
ＥＬ発光シート（１）に差し込み部（２）を設け、前記差し込み部（２）に絶縁部（３ａ）を設け、電極（４ａ）（４ｂ）から前記差し込み部（２）の外部に突起した接続端子（５ａ）（５ｂ）を設け、前記差し込み部（２）に差し込み可能な支持ソケット部（６）を設け、前記支持ソケット部（６）に絶縁部（３ｂ）を設け、前記接続端子（５ａ）（５ｂ）に挿通接合する凹型接続端子（７ａ）（７ｂ）を設け、前記凹型接続端子（７ａ）（７ｂ）にインバーター電極（８ｂ）を設け、インバーター（９）へと導く差し込み可能な前記支持ソケット部（６）を設け、前記差し込み部（２）に差し込み可能な前記支持ソケット部（６）を設けたクリスマスツリー用ＥＬイルミネーションとする。
【考案の効果】
【０００７】  以上、述べたように本考案のクリスマスツリー用ＥＬイルミネーションは、上記のとおり構成されているので、次に記載する効果を奏する。
本考案は、差し込み部と支持ソケット部に絶縁部を設けたことにより、接触不良や絶縁不良等による発光しなイルミネーションを減少することができ、絶縁不良による火災の防止や感電の予防にもなる。
本考案は、差し込み部に差し込み可能な支持ソケット部を設けたことにより、誰もが簡便に電源からＥＬイルミネーションを抜き差しが可能であり、設置やランニングコストが軽減できる。
本考案は、安定した光源のＥＬイルミネーションを提供することにより、視認性の向上で人々に注目を与える。
【考案を実施するための最良の形態】
【０００８】  以下本考案の実施するための最良の形態について説明する。
ＥＬ発光シート（１）に差し込み部（２）を設け、前記差し込み部（２）に絶縁部（３ａ）を設け、電極（４ａ）（４ｂ）から前記差し込み部（２）の外部に突起した接続端子（５ａ）（５ｂ）を設け、支持ソケット部（６）に差し込み可能な前記差し込み部（２）を設けたものである。【０００９】  前記支持ソケット部（６）に絶縁部（３ｂ）を設け、前記接続端子（５ａ）（５ｂ）に挿通接合する凹型接続端子（７ａ）（７ｂ）を設け、前記凹型接続端子（７ａ）（７ｂ）にインバーター電極（８ａ）（８ｂ）を設け、インバーター（９）へと導く前記差し込み部（２）に差し込み可能な前記支持ソケット部（６）を設けたものである。
【実施例】
【００１０】  以下、図面を参照しながら、この考案の一実施例を説明する。
本考案の図１は、請求項１に関するものである。図１に示すように、ＥＬ発光シート（１）に差し込み部（２）を設け、前記差し込み部（２）に絶縁部（３ａ）を設け、電極（４ａ）（４ｂ）から前記差し込み部（２）の外部に突起した接続端子（５ａ）（５ｂ）を設け、差し込み可能な前記差し込み部（２）を設けたもので、本考案の差し込み部（２）を示す模式図である。【００１１】  本考案の図２は、請求項２に関するものである。図２に示すように、前記支持ソケット部（６）に絶縁部（３ｂ）を設け、前記支持ソケット部（６）に凹型接続端子（７ａ）（７ｂ）を設け、前記凹型接続端子（７ａ）（７ｂ）にインバーター電極（８ａ）（８ｂ）を設け、インバーター（９）へと導く差し込み可能な前記支持ソケット部（６）を設けたもので、本考案の支持ソケット部（６）示す模式図である。【００１２】  本考案の図３（Ａ）（Ｂ）は、請求項１ならびに、請求項２に関するものである。図３（Ａ）は、ＥＬ発光シート（１）に差し込み部（２）を設け、前記差し込み部（２）に絶縁部（３ａ）を設け、電極（４ａ）（４ｂ）から前記差し込み部（２）の外部に突起した接続端子（５ａ）（５ｂ）を設け、前記差し込み部（２）に差し込み可能な支持ソケット部（６）を設け、前記支持ソケット部（６）に絶縁部（３ｂ）を設け、前記接続端子（５ａ）（５ｂ）に挿通接合する凹型接続端子（７ａ）（７ｂ）を設け、前記凹型接続端子（７ａ）（７ｂ）にインバーター電極（８ａ）（８ｂ）を設け、インバーター（９）へと導く差し込み可能な前記支持ソケット部（６）を設け、本考案の差し込み部（２）に支持ソケット部（６）が接合した状態を示すもので、本考案の差し込み部と支持ソケット部を示す模式図である。【００１３】  図３（Ｂ）は、ＥＬ発光シート（１）に差し込み部（２）を設け、前記差し込み部（２）に絶縁部（３ａ）を設け、電極（４ａ）（４ｂ）から前記差し込み部（２）の外部に突起した接続端子（５ａ）（５ｂ）を設け、前記差し込み部（２）に差し込み可能な支持ソケット部（６）を設け、前記支持ソケット部（６）に絶縁部（３ｂ）を設け、前記接続端子（５ａ）（５ｂ）に挿通接合する凹型接続端子（７ａ）（７ｂ）を設け、前記凹型接続端子（７ａ）（７ｂ）にインバーター電極（８ａ）（８ｂ）を設け、インバーター（９）へと導く差し込み可能な前記支持ソケット部（６）を設けたもので、本考案の差し込み部（２）から支持ソケット部（６）を外した状態を示すもので、本考案の差し込み部と支持ソケット部を示す模式図である。【００１４】  本考案の図４は、請求項１ならびに、請求項２に関するものである。図４に示すように、連接されたＥＬ発光シート（１）からインバーター電極（８ａ）（８ｂ）を介し、インバーター（９）へ接続され、複数の前記ＥＬ発光シート（１）を発光させる状態の実施例であり、本考案の実施状態を示す模式図である。
本考案の図４からも、星型や丸型等に形成された複数のＥＬ発光シート（１）を設け、複数のインバーター電極（８ａ）（８ｂ）を介し、インバーター（９）へ接続されることにより、発光時間を変え点滅させ、又、前記ＥＬ発光シート（１）の光源を変えることにより、赤色や青色等とするクリスマスツリー用のＥＬイルミネーションとして実施可能となる。【００１５】  以上のことから本実施例から本考案は、接触不良や絶縁不良等による発光しなイルミネーションを減少することができ、絶縁不良による火災の予防や感電の防止が可能で、誰もが簡便に電源からＥＬイルミネーションを抜き差しができ、ランニングコストが軽減可能となる。又、安定した光源のＥＬイルミネーションを提供することにより、視認性の向上で人々に注目を与えることも可能となる。
【産業上の利用可能性】
【００１６】  本考案は、接触不良や絶縁不良等による火災の予防や感電の防止が可能なため、安全性の向上からも広く普及していくことが考えられる。又、専門的な技術者でなくとも、ＥＬイルミネーションを抜き差しができるため、設置やランニングコストが軽減される。
製作工程においても簡便であり、誰もが簡単に実施できるため産業上の利用可能性がある。
【図面の簡単な説明】
【００１７】
【図１】本考案の差し込み部を示す模式図である。
【図２】本考案の支持ソケット部を示す模式図である。
【図３】本考案の差し込み部と支持ソケット部を示す模式図である。
【図４】本考案の実施状態を示す模式図である。
【符号の説明】
【００１８】１    ＥＬ発光シート
２    差し込み部
３ａ  絶縁部
３ｂ  絶縁部
４ａ  電極
４ｂ  電極
５ａ  接続端子
５ｂ  接続端子
６    支持ソケット部
７ａ  凹型接続端子
７ｂ  凹型接続端子
８ａ  インバーター電極
８ｂ  インバーター電極
９    インバーター
【図１】
0003118137.tif 000003
【図２】
0003118137.tif 000004
【図３】
0003118137.tif 000005
【図４】
0003118137.tif 000006